【手続補正書】
【提出日】令和3年12月6日(2021.12.6)
【手続補正１】
【補正対象書類名】特許請求の範囲
【補正対象項目名】全文
【補正方法】変更
【補正の内容】
【特許請求の範囲】
【請求項１】
ヘルスケア提供者に関連付けられたコンピューティングデバイスの少なくとも１つのプロセッサが、前記ヘルスケア提供者に関連付けられた前記コンピューティングデバイスのディスプレイ上に患者情報を表示するための方法であって、
複数の患者タイプを識別する第1のグラフィカル要素を前記ヘルスケア提供者に表示するステップであって、前記複数の前記患者タイプの各々は、異なる疾患およびその疾患を有する1人または複数の患者に関連付けられる、ステップと、
前記患者タイプのうちの喘息患者タイプを選択することに応答して、前記第1のグラフィカル要素と同時に第2のグラフィカル要素を表示するステップであって、前記第2のグラフィカル要素は、喘息をもつ一人または複数の患者に対する患者喘息監視情報を含む、ステップとを含み、
前記患者喘息監視情報は、
時間ウィンドウにわたる前記一人または複数の患者の各患者についてのレスキュー吸入器使用の報告であって、前記レスキュー吸入器使用の報告は、前記レスキュー使用報告の各レスキュー吸入器使用イベントが生じた地理的位置の前記患者に関連付けられた前記レスキュー吸入器のアクティブ化を監視するために、レスキュー吸入器に取り付けられた第1のセンサーによってリモートサーバへ報告され、前記第1のセンサーは、各レスキュー吸入器使用イベントが生じた前記地理的位置を記録し、前記リモートサーバは、前記第1のセンサーに一意のデバイス識別子に基づいて前記レスキュー吸入器使用イベントの報告を認識する、前記レスキュー吸入器使用の報告と、
時間ウィンドウにわたる前記一人または複数の患者の各患者についてのコントローラ吸入器使用の報告であって、前記コントローラ吸入器使用の前記報告は、前記コントローラ使用報告の各コントローラ吸入器使用イベントが生じた地理的位置の前記患者に関連付けられた前記コントローラ吸入器のアクティブ化を監視するために、コントローラ吸入器に取り付けられた第2のセンサーによって前記リモートサーバへ報告され、前記第2のセンサーは、各コントローラ吸入器使用イベントが生じた前記地理的位置を記録し、前記リモートサーバは、前記第2のセンサーに一意のデバイス識別子に基づいて前記コントローラ吸入器使用イベントの報告を認識する、前記コントローラ吸入器使用の前記報告と、
を含む、
方法。
【請求項２】
前記喘息患者タイプは、ユーザ入力によって選択され、前記ユーザ入力は、以下のこと、すなわち、
前記患者タイプを表すグラフィカル要素の上でホバリングすること、
前記患者タイプを表すグラフィカル要素をホールドすること、または
前記患者タイプを表すグラフィカル要素を1回もしくは複数回タッチすることのうちの、1つまたは複数を含む、
請求項1に記載の方法。
【請求項３】
前記第1のグラフィカル要素は、前記ヘルスケア提供者の複数の患者タイプを識別し、前記複数の患者タイプは、
慢性閉塞性肺疾患(COPD)患者タイプ、および
センサー非アクティブ患者タイプをさらに含む、
請求項1に記載の方法。
【請求項４】
前記COPD患者タイプの選択に応答して、代替の第2のグラフィカル要素が表示され、前記代替の第2のグラフィカル要素は、COPDをもつ一人または複数の患者に対する患者COPD監視情報を含み、前記患者COPD監視情報は、
前記COPDをもつ一人または複数の患者の各患者について、
ある時間ウィンドウにわたって報告されたレスキューイベントの回数をレスキューイベントのしきい値の回数と比較することによって決定されるレスキューベースライン評価、
前記時間ウィンドウにわたるレスキュー吸入器使用の報告、および
前記時間ウィンドウにわたるコントローラ吸入器使用の報告を含む、
請求項3に記載の方法。
【請求項５】
前記COPD患者タイプの選択に応答して、代替の第2のグラフィカル要素が表示され、前記代替の第2のグラフィカル要素は、COPDをもつ一人または複数の患者に対する患者COPD監視情報を含み、前記患者COPD監視情報は、
前記COPDをもつ一人または複数の患者の各患者について、
前記患者に関連付けられたレスキュー吸入器に結合された第1のセンサーと関連付けられた第1のコンピューティングデバイスの直近の同期を示す記録、および
前記患者に関連付けられたコントローラ吸入器に結合された第2のセンサーと関連付けられた第2のコンピューティングデバイスの直近の同期を示す記録を含む、
請求項3に記載の方法。
【請求項６】
前記センサー非アクティブ患者タイプの選択に応答して、代替の第2のグラフィカル要素が表示され、前記センサー非アクティブ患者タイプは、非アクティブセンサーに関連付けられた一人または複数の患者に対する監視情報を含み、前記監視情報は、
非アクティブセンサーに関連付けられた前記一人または複数の患者の各患者について、
前記患者に関連付けられた第1のコンピューティングデバイスが前記患者に関連付けられたレスキュー吸入器に結合されたレスキュー吸入器と最後に同期されてからの時間期間、および
前記患者に関連付けられた第2のコンピューティングデバイスがコントローラ吸入器と結合された前記コントローラ吸入器と最後に同期されてからの時間期間を含む
請求項3に記載の方法。
【請求項７】
前記センサー非アクティブ患者タイプの選択に応答して、代替の第2のグラフィカル要素が表示され、前記センサー非アクティブ患者タイプは、非アクティブに関連付けられた一人または複数の患者に対する監視情報を含み、
非アクティブに関連付けられた前記一人または複数の患者の各患者について、
レスキュー吸入器使用イベントの記録からの前記時間期間が第1のしきい値時間期間を超過することの記録、および
コントローラ吸入器使用イベントの記録からの前記時間期間が第2のしきい値時間期間を超過することの記録を含む、
請求項3に記載の方法。
【請求項８】
前記第2のグラフィカル要素は、前記リモートサーバにおいて決定される喘息コントロールスコアをさらに含み、前記喘息コントロールスコアは、前記レスキュー吸入器のアクティブ化を監視するために前記レスキュー吸入器に取り付けられた前記第1のセンサーによって報告されるレスキュー吸入器使用データ、および前記コントローラ吸入器のアクティブ化を監視するために前記コントローラ吸入器に取り付けられた前記第2のセンサーによって報告されるコントローラ吸入器使用データに基づく、請求項1に記載の方法。
【請求項９】
前記第2のグラフィカル要素は、前記レスキュー吸入器に取り付けられた前記第1のセンサーとの第1のコンピューティングデバイスの直近の同期を示す記録をさらに含む、請求項1に記載の方法。
【請求項１０】
前記第2のグラフィカル要素は、前記コントローラ吸入器に取り付けられた前記第2のセンサーと第2のコンピューティングデバイスの直近の同期を示す記録をさらに含む、請求項1に記載の方法。
【請求項１１】
前記第2のグラフィカル要素は、前記一人または複数の患者の各患者と前記ヘルスケア提供者との間の直近の連絡を示す記録をさらに含む、請求項1に記載の方法。
【請求項１２】
レスキュー吸入器使用の前記報告は、日ごとに前記時間ウィンドウにわたって表され、前記時間ウィンドウ中の各日は、その日に検出されたレスキューイベントの回数を示す、請求項1に記載の方法。
【請求項１３】
コントローラ吸入器使用の前記報告は、前記一人または複数の患者の各患者についての充填可能グラフィカルインジケータとして表され、前記充填可能グラフィカルインジケータは、前記時間ウィンドウにわたる前記患者のアドヒアランス格付けの尺度に基づいて決定される統計値を表示する、請求項1に記載の方法。
【請求項１４】
喘息をもつ前記一人または複数の患者のうちの患者に対する患者喘息監視情報を選択する前記第2のグラフィカル要素への入力を受け取るステップと、
前記入力を受け取ったことに応答して、前記第2のグラフィカル要素と第3のグラフィカル要素を少なくとも部分的に重ね合わせるステップとをさらに含み、前記第3のグラフィカル要素は、前記選択された患者に関連付けられたレスキュー吸入器に取り付けられた第1のセンサーによって報告されるレスキュー薬剤使用イベントの履歴、および前記選択された患者に関連付けられたレスキュー吸入器に取り付けられた第2のセンサーによって報告されるコントローラ薬剤使用イベントの履歴を視覚的に示す、
請求項1に記載の方法。
【請求項１５】
レスキュー薬剤使用イベントの前記履歴、およびコントローラ薬剤使用イベントの前記履歴は、前記第3のグラフィカル要素内で同時に表示される、請求項14に記載の方法。
【請求項１６】
前記第3のグラフィカル要素は、
前記時間ウィンドウを調整するためのスライドグラフィカルインジケータをさらに含み、前記時間ウィンドウを調整することは、前記第3のグラフィカル要素の中に表示されるレスキュー薬剤使用イベントの回数およびコントローラ薬剤使用イベントの回数を操作する、
請求項14に記載の方法。
【請求項１７】
前記時間ウィンドウを調整するステップは、
一定の時間の前に報告されたイベントを含むように前記時間ウィンドウを拡大するステップ、または
一定の時間の後に報告されたイベントまで前記時間期間を縮小するステップを含む、
請求項16に記載の方法。
【請求項１８】
レスキュー薬剤使用の前記履歴およびコントローラ薬剤使用の前記履歴は、ヒストグラムのシーケンスとして表示され、前記ヒストグラムのシーケンスの各ヒストグラムは、前記時間ウィンドウ中の１日の間に報告されたイベントの回数を表す、請求項14に記載の方法。
【請求項１９】
前記第3のグラフィカル要素への入力を受け取るステップであって、前記入力は、
報告済みレスキュー薬剤使用イベントを伴う単一の日、または
報告済みコントローラ投薬イベントを伴う単一の日
を選択する、ステップと、
前記第3のグラフィカル要素への前記入力の受取りに応答して、前記第3のグラフィカル要素上に第4のグラフィカル要素を少なくとも部分的に重ね合わせるステップであって、前記第4のグラフィカル要素は、前記選択された単一の日に関する追加情報を視覚的に示す、ステップと
をさらに含む、請求項14に記載の方法。
【請求項２０】
前記入力は、報告されたレスキュー薬剤使用イベントがある単一の日を選択し、前記追加情報は、
前記報告されたレスキュー薬剤使用イベントの日付、
前記報告されたレスキュー薬剤使用イベント中に投与されたレスキュー薬剤、
前記報告されたレスキュー薬剤使用イベントの時間、および
前記投与されたレスキュー薬剤の投与量を含む、
請求項19に記載の方法。
【請求項２１】
前記入力は、報告されたコントローラ薬剤使用イベントがある単一の日を選択し、前記追加情報は、
前記コントローラ薬剤使用イベントが報告された週、
前記報告されたコントローラ薬剤使用イベントの間に投与されたコントローラ薬剤、
推奨されるコントローラ薬剤分量の日ごとの記録、および
前記選択された患者によって行われたコントローラ薬剤分量の日ごとの記録を含む、
請求項19に記載の方法。